(57)【要約】      （修正有）【課題】内容物を容易に取り出すことができ、販促機能を有する陳列販売用カートンを提供する。【解決手段】カートン本体と該カートン本体の下端部に取り付けられた取り出しガイド部とからなり、カートン本体が、後板、側板、前板、側板からなる胴部と、主に天板からなる天部と、底板からなる底部とからなり、前板の下端部に開封部が設けられ、側板には円弧状切り込みがそれぞれ設けられ、取り出しガイド部が、取り出し口ガイド部底板、取り出し口ガイド部前板、略四半円形の取り出し口ガイド部側板とからなり、カートン本体の後板の下辺に取り出しガイド部の取り出し口ガイド部底板が連接され、取り出しガイド部底板は底板の内側に位置し、取り出しガイド部前板は前板の外側の下端部に重ね、取り出しガイド部側板は側板の外側の下端部に重ねてそれぞれ先端に設けた係止部を円弧状切り込みにそれぞれ差し込んで固定してなる陳列販売用カートンである。【選択図】図１
2008024333.tif 000002
【特許請求の範囲】
【請求項１】
カートン本体と該カートン本体の下端部に取り付けられた取り出しガイド部とからなり、前記カートン本体が、後板、側板、前板、側板からなる胴部と、主に天板からなる天部と、主に底板からなる底部とからなり、前記前板の下端部に切り取り線により開封部が設けられ、前記側板には下辺より円弧状切り込みがそれぞれ設けられ、前記取り出しガイド部が、取り出し口ガイド部底板、取り出し口ガイド部前板、略四半円形の取り出し口ガイド部側板からなり、前記カートン本体の前記後板の下辺に前記取り出しガイド部の前記取り出し口ガイド部底板が連接され、前記取り出しガイド部底板は前記底板の内側に位置し、前記取り出しガイド部前板は前記前板の外側の下端部に重ね、前記取り出しガイド部側板は前記側板の外側の下端部に重ねてそれぞれ先端に設けた係止部を前記側板に設けた前記円弧状切り込みにそれぞれ差し込んで固定してなり、全開時には、差し込んだ前記取り出しガイド部側板の先端の前記係止部が、前記円弧状切り込みの上端で係止され、前記取り出しガイド部を所定の位置に係止することができることを特徴とする陳列販売用カートン。
【請求項２】
前記後板の上辺に吊り下げ孔を備えた吊り下げ用板を設けていることを特徴とする請求項１に記載の陳列販売用カートン。
【請求項３】
一枚のブランクから組み立てることにより形成されていることを特徴とする請求項１又は２に記載の陳列販売用カートン。
【発明の詳細な説明】
【技術分野】
【０００１】
本発明は、カートン内に個装された菓子類、雑貨品等の内容物を収納してなる陳列販売用カートンに関するものである。
【背景技術】
【０００２】
従来、この種の陳列販売用カートンとして、サック貼りしたブランクを角筒状に起こし、下部の開口を閉じてから上部の開口より内容物を収容して閉じることで製品化された形状のものが利用されている。そして、このタイプの陳列販売用カートンには、閉鎖部分に開封用のジッパーを設けた形状のもの、胴部を周回するジッパーを設けた形状のもの、あるいは、図６に示すように、天板を大きく開口して内容物を取り出し易くした形状（例えば、特許文献１参照。）のもの等がある。
【特許文献１】特開平７−２５７５５８号公報
【発明の開示】
【発明が解決しようとする課題】
【０００３】
上記の如き陳列販売用カートンにおいて個装した内容物等を収納した場合、取り出し口が大きく取れるので内容物を比較的容易に取り出すことができるものの、商品を販売する際に販促効果の点では不十分であるという問題点があった。
【０００４】
本発明は、上記のような問題点に鑑みてなされたものであり、その目的とするところは、収納した内容物を容易に取り出すことができ、かつ、販促機能を有する陳列販売用カートンを提供することにある。
【課題を解決するための手段】
【０００５】
上記目的を達成するために、請求項１の発明は、カートン本体と該カートン本体の下端部に取り付けられた取り出しガイド部とからなり、前記カートン本体が、後板、側板、前板、側板からなる胴部と、主に天板からなる天部と、主に底板からなる底部とからなり、前記前板の下端部に切り取り線により開封部が設けられ、前記側板には下辺より円弧状切り込みがそれぞれ設けられ、前記取り出しガイド部が、取り出し口ガイド部底板、取り出し口ガイド部前板、略四半円形の取り出し口ガイド部側板からなり、前記カートン本体の前記後板の下辺に前記取り出しガイド部の前記取り出し口ガイド部底板が連接され、前記取り出しガイド部底板は前記底板の内側に位置し、前記取り出しガイド部前板は前記前板の外側の下端部に重ね、前記取り出しガイド部側板は前記側板の外側の下端部に重ねてそれぞれ先端に設けた係止部を前記側板に設けた前記円弧状切り込みにそれぞれ差し込んで固定してなり、全開時には、差し込んだ前記取り出しガイド部側板の先端の前記係止部が、前記円弧状切り込みの上端で係止され、前記取り出しガイド部を所定の位置に係止することができることを特徴とする陳列販売用カートンである。
【０００６】
また、請求項２の発明は、請求項１の発明において、前記後板の上辺に吊り下げ孔を備えた吊り下げ用板を設けていることを特徴とする請求項１に記載の陳列販売用カートンである。
【０００７】
また、請求項３の発明は、請求項１または請求項２の発明において、一枚のブランクから組み立てることにより形成されていることを特徴とする請求項１又は２に記載の陳列販売用カートンである。
【発明の効果】
【０００８】
本発明の陳列販売用カートンの請求項１の発明では、カートンの前板の下端部に取り出しガイド部を設けることによって、取り出しガイド部の手前に引き出した状態で、前板の下端部の開封部を開封、開口した取り出し口から内容物を取り出すことができ、その時、内容物を選択して取り出すことができ販促効果を高めることができる。また、取り出しガイド部の全開時には、差し込んだ取り出しガイド部側板の先端の係止部が側板に設けた円弧状切り込みの上端で差し込まれたまま係止されるという係止手段が作用して取り出しガイド部の取り出しガイド部側板が抜け出さないように所定の位置にしっかり係止することができるという効果を奏するものである。さらに、吊り下げ用板を上辺に設けることによって、店頭で吊り下げて使用することができ、より販促効果を高めることができる。
【発明を実施するための最良の形態】
【０００９】
以下、図面によって本発明の陳列販売用カートンの実施の形態について説明する。本発明の陳列販売用カートン１は、カートン本体と該カートン本体の下端部に取り付けられた取り出しガイド部とからなり、下端部に取り出しガイド部Ｇが後板１１に取り付けられ、前板１３の下端部の開封部Ｏが開封されて開口した取り出し口から内容物を取り出す形態の陳列販売用カートンであり、図１（ａ）は、本発明の陳列販売用カートン１の取り出しガイド部Ｇの閉鎖時の斜視図であり、図１（ｂ）は取り出しガイド部Ｇを回動して開き、前板１３の下端部の開封部Ｏを開口した状態の斜視図である。カートン本体が、後板１１、側板１２、前板１３、側板１４からなる胴部Ｄと、主に天板からなる天部Ｔと、主に底板からなる底部Ｂとからなり、取り出しガイド部Ｇは、取り出しガイド部底板２２と、取り出しガイド部底板２２に折れ線ｍを介して連設した取り出しガイド部前板２３と、取り出しガイド部前板２３の両側辺に連設した略四半円形の取り出しガイド部側板２４、２５とからなり、取り出しガイド部底板２２は底板２３の内側に位置するように組み立てて、取り出しガイド部前板２３は前板１３の下端部に重ね、取り出しガイド部側板２４、２５は、先端に設けた係止部２４ａ、２５ａを側板１２、１４に設けた円弧状切り込みｒ、ｓにそれぞれ差し込んで側板１２、１４の下端部にそれぞれ重ねて固定している。そして、この取り出しガイド部Ｇを折れ線ｍをヒンジとし、前板１３から外側に略９０度回動して開くことができる形状としている。この時、取り出しガイド部側板２４、２５の係止部２４ａ、２５ａが、側板１２、１４に設けた円弧状切り込みｒ、ｓ内を沿って動くようになっている。従って、図１（ａ）の状態の取り出しガイド部Ｇのエッジに指を掛けて矢印方向の手前に引き出した状態で、前板１３の下端部の開封部Ｏを開封、開口した取り出し口から内容物Ｍを取り出すことができる。取り出しガイド部Ｇの全開時には、差し込んだ取り出しガイド部側板２４、２５の先端の係止部２４ａ、２５ａが側板１２、１４に設けた円弧状切り込みｒ、ｓの上端で差し込まれたまま係止されるという係止手段が作用して取り出しガイド部Ｇの取り出しガイド部側板２４、２５が抜け出さないように所定の位置にしっかり係止することができる。また、前板１３には、内容物Ｍを外から見ることができるように、窓部Ｗが設けられている。
【００１０】
図２は本発明の陳列販売用カートン１を組み立てる前のブランク１０の展開図である。ブランク１０で胴部Ｄを形成する後板１１、側板１２、前板１３、側板１４、糊代１５がこの順で折線ａ〜ｄを介して連設されている。また、前板１３の下端部には開封可能な開封部Ｏが設けられている。この開封部Ｏは、折れ線ｂ、ｃの下端から設けられた切り取り可能なＬ字型リード罫ｂ´、ｃ´と、このＬ字型リード罫ｂ´、ｃ´の上端を結ぶ切り込みｐにより切り取り、取り除くことができ、開封部Ｏを開封して開口することができる。切り込みｐの略中央部には、摘み部用切り込みｑを入れて摘み部Ｑを取り除き開封部Ｏを摘まみ易くしている。また、前板１３には、窓部用切り込みｗにより窓部Ｗが設けられている。この窓部Ｗの形状、大きさ等は、特に限定されるものではなく、その部分には透明プラスチックフィルムが貼り合わされている。さらに、側板１２、１４には、それぞれ下端から円弧状切り込みｒ、ｓが相対する形で設けられている。この円弧状切り込みｒ、ｓは、側板１２、１４において、後板１１側の下端から前板１３側に向かって円弧状に設けている。
【００１１】
また、天部Ｔを形成する天板１６が、前板１３の上辺に折れ線ｅを介して連設され、天折り込み片１７、１８が、側板１２、１４の上辺にそれぞれ折れ線ｆ、ｇを介して連設され、そして、天差し込み片１９が、天板１６の上辺に折れ線ｈを介して連設されている。
【００１２】
また、底部Ｂを形成する底板２０が、側板１４の下辺に折れ線ｉを介して連設され、底下板２１が、側板１２の下辺に折れ線ｊを介して連設され、そして、底差し込み片２０ａが、底板２０の下辺に折れ線ｌを介して連設され、この底差し込み片２０ａを差し込む差し込み口ｊ´が側板１２と底下板２１の折れ線ｊの略中央部に設けられている。さらに、取り出しガイド部底板２２が、後板１１の下辺に折れ線ｋを介して連設され、この取り出しガイド部底板２２の下辺に、取り出しガイド部前板２３が、折れ線ｍを介して連設されており、そして、取り出しガイド部前板２３の両側辺には、折れ線ｎ、ｏを介して略四半円形の取り出しガイド部側板２４、２５が連設されている。さらにまた、取り出しガイド部側板２４、２５の先端は突起状とし、側板１２、１４に設けられた円弧状切り込みｒ、ｓに差し込むための係止部２４ａ、２５ａとしている。
【００１３】
上記のブランク１０から本発明の陳列販売用カートン１を成形するには、まず、折れ線ａ、ｃでブランク１０の胴部Ｄを三つ折りして、糊代１５と後板１１を貼り合わせて胴貼りを行ってフラットな折り畳みカートンとし、これをユーザーに供給する。
【００１４】
つぎに、ユーザーは胴部Ｄを四角柱状に起こし、底部Ｂにおいて、まず、取り出しガイド部底板２２を内側に直角に折り曲げ、つぎに、底下板２１を取り出しガイド部底板２２に重ねて内側に折り曲げ、そして、底板２０を内側に折り曲げて底板２０の底差し込み片２０ａを折れ線ｊの差し込み口ｊ´に差し込む。つぎに、取り出しガイド部前板２３を折り曲げて前板１３の下端部に重ね、そして、取り出しガイド部側板２４、２５を側面１２、１４側に折り曲げ、同時に、取り出しガイド部側板２４、２５の先端の係止部２４ａ、２５ａを側板１２、１４に設けられた円弧状切り込みｒ、ｓに差し込んで固定して底部Ｂを形成する。このように、一方の側を形成した後、もう一方の側から内容物Ｍを充填する。本発明の陳列販売用カートン１では、ユーザーにおいて、接着剤を使って貼り合わせることなく、組み立てることができることが特長であるが。もちろん、接着剤を使用して貼り合わせてもよい。
【００１５】
ついで、内容物を充填した後に天部Ｔの形成を行う。天部Ｔでは、一般的なサック形式のカートンと同様に、天折り込み片１７、１８を内側に折り曲げ、ついで、天板１６を内側に折り曲げ、天板１６の上辺に設けた天差し込み片１９を後板１１の内側に差し込んで形成することができる。なお、天部Ｔと底部Ｄの形成順序を逆にしてもよい。
【００１６】
図３は本発明の陳列販売用カートンの別の実施の形態を示す斜視図である。陳列販売用カートン１Ａでは、胴部Ｄ、底部Ｂ、天部Ｔにおいては、陳列販売用カートン１と同様な形状であり、異なるところは、後板１１の上辺に吊り下げ用板Ｈを設けている点である。この吊り下げ用板Ｈを設けることによって、この吊り下げ板Ｈには、表示パネルとして使用することができると同時に、吊り下げ孔Ｖ、Ｖを設けて、陳列時に壁等に陳列販売用カートン１Ａを吊り下げて使用することができる。
【００１７】
図４は本発明の陳列販売用カートン１Ａのブランクの展開図である。ブランク１０Ａでは、胴部Ｄ、底部Ｂにおいては、陳列販売用カートン１と同様な形状であり、天部Ｔにおいて、後板１１の上辺に折れ線ｔを介して吊り下げ用裏板２６を連設し、その吊り下げ用裏板２６の上辺に折れ線ｕを介して吊り下げ用表板２７を連設している。
【００１８】
つぎに、本発明の陳列販売用カートンを実際に使用する場合の説明図である。上記の方法で得られた陳列販売用カートン１は組み立て完了時には図１（ａ）に示す形態であるが、実際に、店頭で陳列して使用する場合は、まず、図５−１に示すように、取り出しガイド部Ｇの取り出しガイド部前板２３の上端に指を引っかけて矢印のように前方に引くと、取り出しガイド部Ｇは図５（ｂ）に示すように折れ線ｍをヒンジとして回動し、同時に、両側の取り出しガイド部側板２４、２５の先端の係止部２４ａ、２５ａが側板１２、１４に設けられた円弧状切り込みｒ、ｓに沿って動き、取り出しガイド部Ｇを引き出すことができる。つぎに、取り出しガイド部Ｇを引き出した状態で、前板１３の下端部の開封部Ｏを開封するが、まず、切り込みｐの中央部の摘み部用切り込みｑの部分の摘み部Ｑを指で押して切り取りこの部分に指を差し込んで取っ掛かりとして開封部Ｏを手前に引きながらＬ字型のリード罫ｂ´、ｃ´を引き裂くことにより開封部Ｏを切り取り開封して開口して取り出し口とすることができる。この時、図１（ｂ）に示すように、この取り出し口から収納した内容物があふれ出してくるが、取り出しガイド部Ｇで保持される。このように保持されている内容物Ｍは、商品内容が分かり易く容易に選別して手で取り出すことができ、販促効果も有している形状となっている。
【００１９】
本発明の陳列販売用カートンに使用する材料は、広範囲の板紙、段ボールであるが、剛度が有り、耐折強度の強い、カード系、特板系、Ｅ段等が好適に使用できる。また、プラスチックフィルム例えば、ポリ塩化ビニル、ポリプロピレン、ポリエチレン、ポリエチレンテレフタレート、ポリカーボネート、ポリスチレン等を板紙にラミネートした材料を使用することもできる。
【００２０】
また板紙、段ボールへの印刷にはオフセット、グラビア、シルクスクリーン等のいかなる手法を用いてもよい。また、エンボス、箔押し、ＯＰニスコート等の後加工を行ってもよい。
【産業上の利用可能性】
【００２１】
具体的な用例としては、食品、菓子類、雑貨品等の内容物を収納した状態で輸送、保管等ができ、かつ、内容物を収納した状態で陳列展示することができると共に、収納された内容物を選別して一つずつ取り出して販売することができる用途のカートンに使用することができる。
【図面の簡単な説明】
【００２２】
【図１】本発明の陳列販売用カートンの実施の形態の一実施例を示す斜視図である。
【図２】本発明の陳列販売用カートンの実施の形態の一実施例のブランクを示す展開図である。
【図３】本発明の陳列販売用カートンの別の実施の形態の一実施例を示す斜視図である。
【図４】本発明の陳列販売用カートンの別の実施の形態の一実施例のブランクを示す展開図である。
【図５】本発明の陳列販売用カートンを使用する場合の説明図である。
【図６】従来の陳列販売用カートンを示す斜視図である。
【符号の説明】
【００２３】
１        陳列販売用カートン
１Ａ      陳列販売用カートン
１１        後板
１２        側板
１３        前板
１４        側板
１５        糊代
１６        天板
１７        天折り込み片
１８        天折り込み片
１９        天差し込み片
２０        底板
２０ａ      底差し込み片
２１        底下板
２２        取り出しガイド部底板
２３        取り出しガイド部前板
２４        取り出しガイド部側板
２４ａ      係止部
２５        取り出しガイド部側板
２５ａ      係止部
２６        吊り下げ用裏板
２７        吊り下げ用表板
１０        ブランク
１０Ａ      ブランク
ａ〜ｕ      折れ線
ｊ´      差し込み口
ｂ´、ｃ´  Ｌ字型リード罫
ｐ        切り込み
ｑ        摘み部用切り込み
ｒ、ｓ      円弧状切り込み
ｗ        窓部用切り込み
Ｂ        底部
Ｄ        胴部
Ｔ        天部
Ｇ        取り出しガイド部
Ｈ        吊り下げ用板
Ｍ        内容物
Ｏ        開封部
Ｗ        窓部
Ｑ        摘み部
Ｖ        吊利下げ用孔
【図１】
2008024333.tif 000003
【図２】
2008024333.tif 000004
【図３】
2008024333.tif 000005
【図４】
2008024333.tif 000006
【図５】
2008024333.tif 000007
【図６】
2008024333.tif 000008